(57)【特許請求の範囲】
【請求項１】
複数の単位体の中で１個の単位体を内部部材と外郭部材に分割形成して、前記内部部材を前記外郭部材の断面梯形状の背もたれ支持部上に回動自在に積層させることによって、背もたれと肘掛けが形成される安楽椅子において、前記単位体を厚さ約２０ｃｍ以下の単位体Ａ、Ｂとし、この中で１個の単位体Ａの内部部材を２個以上の背もたれ用部材に分割し、これらの部材を約６５゜以下の傾斜面を有する断面梯形状の背もたれ支持部上に順に折り畳み積層させて背もたれを形成することによって、座板として機能する前記単位体Ｂと共に座式形態の安楽座椅子またはソファーに変形ができるように構成したことを特徴とする折り畳み式のマットレス兼用安楽座椅子。
【請求項２】
前記内部部材を断面梯形状の第１の背もたれ用部材、第２の背もたれ用部材、及び第３の背もたれ用部材に分割し、前記第２の背もたれ用部材と第３の背もたれ用部材の傾斜面がなす傾斜角θ１が、前記背もたれ支持部と第１の背もたれ用部材の傾斜面がなす傾斜角θ０より大きくすることを特徴とする請求項１に記載の折り畳み式のマットレス兼用安楽座椅子。
【請求項３】
前記単位体Ｂに傾斜座部材を凹設して、これを単位体Ｂ上に回動自在に折り畳むことによって、傾斜した座板面が形成されるようにすることを特徴とする請求項１又は２に記載の折り畳み式のマットレス兼用安楽座椅子。
【発明の詳細な説明】
【０００１】
【発明の属する技術分野】
本発明は折り畳み式のマットレス兼用安楽椅子またはソファーに関するもので、より詳しくは２個の単位体からなるマットレスを折り畳むことができるように構成して、折り畳まれた状態で単位体の一部を操作して積層させることによって、肘掛けの付き安楽椅子またはソファーに変形させることができるようにした折り畳み式のマットレス兼用安楽座椅子に関するものである。
【０００２】
【従来の技術】
一般的に、韓国のオンドル部屋や日本の畳部屋のように座式の住居環境は西欧の立式の住居環境とは異なり狭い住居空間からなっていて、ベッドではなく敷布団と布団という寝具文化に長い間慣れてきた。
【０００３】
しかし、就寝時ごとに敷布団と布団、特に敷布団を箪笥や押入れに入れたり出したりすることが面倒なので敷布団の代りにマットレスを用いることが多い。通常、マットレスは３段または４段に折り畳んで保管することによって、できるだけ室内での占有空間を減らす方式が以前から行われており、また折り畳まれたマットレスをソファーや安楽椅子に変形するための色々なアイディアが提案されてきた。それにもかかわらず、このような種類の製品はほとんど肘掛けがない簡易ソファーや椅子だけとして機能するか、または肘掛が付けられていたとしても不安定な構造であったり、機能性が低いため実際に実用化した例はほとんどないのが現状である。
【０００４】
これに鑑みて、本発明者は安定した構造を有する肘掛け付き安楽椅子兼用のベッド（韓国実用新案公告第１９８６−６２２号：韓国特許出願第１９８３−４０２３号の変更出願）を提案したことがある。このような先行技術の基本的な発想は、折り畳まれた状態で最上層をなす単位体の両側部位を肘掛けとする一方、両側の肘掛けの部位に囲まれている内側部位の一部を、後方に回動させて折り畳み、積層させることによって、安楽椅子（ソファー）の背もたれを形成するようにし、その下部の単位体を座板になるように構成したものである。すなわち、安楽椅子に変形させる時には両側の肘掛け部の先端下縁部が、その下部に位置する単位体の先端の上縁部と連接手段で連結されていて、肘掛けが左右に動かない安定した構造をなすようにしたものである。
【０００５】
しかし、このような方式でベッドを折り畳んで安楽椅子にすることができるように変形するためには、ベッド及び安楽椅子の規格に基づく設計的な条件と変形メカニズムを考えて折り畳み方式を採択することが必要になる。すなわち、
【０００６】
−  通常の肘掛け付き安楽椅子が、その機能や形態美を十分に備えるためには、椅子の座板の高さが３０ｃｍ〜４０ｃｍのものが好ましく、肘掛けの高さは１８ｃｍ〜２０ｃｍ程度、座板の縦芯の長さは少なくとも４５ｃｍ、背もたれの高さも少なくとも４０ｃｍでなければならない。
【０００７】
−  ベッドは一般の大人の身長を基準として、その長さは少なくとも１８０ｃｍ以上、好ましくは１９０ｃｍ以上でなければならない。これはベッドを安楽椅子またはソファーに変形させる時、２段に折り畳む場合には、単位体の縦芯の長さが少なくとも９５ｃｍ（１９０ｃｍ×１／２）以内、３段に折り畳む場合には、縦芯の長さが６５ｃｍ以内でなければならないという意味である。
【０００８】
−  またこれらの製品はベッドの厚さがまさに肘掛けの高さ（厚さ）になり、背もたれの高さや座板高はベッドが積層される段数によって決定されるメカニズムになっている。
【０００９】
−  したがって、以上のような条件と変形メカニズム上の限界を充足させながら、できるだけベッドの厚さを薄く作って、折り畳みの時、室内でベッドが占める占有面積や空間体積が狭くなる方式を採択しなければならない。
【００１０】
このような点からみれば、まず２段の折り畳み方式は、単位体の縦芯の長さ（９５ｃｍ）が３段の折り畳み方式の長さ（６５ｃｍ）より顕著に長いため相対的に占有面積が大きすぎるだけでなく、同じ座板高を有する椅子に変形する時にも３段の方式に比べてベッドの厚さが２倍になるので、ベッドの厚さもやはり厚くなるという構造上の問題がある。すなわち、椅子の座板高を最小値に近くするように３０ｃｍに設定したとしても、３段の場合、マットレスの厚さは１５ｃｍになるが、２段の場合には３０ｃｍになるので、２段に折り畳まれた状態の体積が少なくとも幅８０ｃｍ、長さ９５ｃｍ、厚さ６０ｃｍに相当する体積となり、座式の住居環境には全く適していないという決定的な不具合がある。
【００１１】
以上のような理由で、２段の折り畳み方式は、少なくともオンドルや畳部屋のような狭い住居空間に適したマットレスタイプとして、初めから適用できない方式と見なされているのが実情である。
【００１２】
したがって、本発明者の先行技術においても、２段の折り畳み方式は、ベッドの高さが少なとも３０ｃｍ以上の正常な規模のベッドを２段に折り畳んで住居空間が広い立式環境だけに適用できる例として想定しており、主に３段の折り畳み方式についての実施形態が具体的に開示されている。
【００１３】
このような３段の折り畳み方式は、折り畳まれた状態で下部に位置する２個の単位体が座部をなすようになり、最上層に位置する１個の単位体の両側部位が肘掛けをなすと共に、その内側の一部に形成された背もたれ用部材を、背もたれ支持部上に折り畳み、積層させて椅子の背もたれをなすように構成されている。
【００１４】
したがって、３段の折り畳み方式では、ベッド（マットレス）の厚さを２段の折り畳み方式の３０ｃｍ〜４０ｃｍより顕著に薄い２０ｃｍに設定しても、肘掛けの高さが２０ｃｍ、座板高は２０ｃｍ×２段＝４０ｃｍになり、背もたれの高さもやはり２０ｃｍ×２段＝４０ｃｍになるので、２段の折り畳み方式に比べて変形メカニズム上有利であり、更に肘掛け付き安楽椅子としての基本的な機能及び形態美に近い構造的な長所があると考えられる。
【００１５】
しかし、３段の折り畳み方式にも構造上の限界による問題点がある。すなわち、マットレスの長さを１９５ｃｍと設定しても、３段に折り畳まれる単位体の縦芯の長さが６５ｃｍ（１９５ｃｍ×１／３）にしかならないので、安楽椅子としては縦芯の長さが多少短い方であり、よって座板の縦芯の長さや背もたれの傾斜角を確保するためには不十分であるので、実際に感じられる安楽感が満足できない。また、適した水準の肘掛けの高さ（１８〜２０ｃｍ程度）を維持するためには、マットレスの厚さが少なとも１８ｃｍ程度でなければならないが、マットレスの厚さを薄くするのには限界があり、よってマットレスとしては厚すぎるという問題がある。更に、３段の折り畳み方式では、２段の折り畳み方式とは違って、最下部に位置する単位体をマットレスから安楽椅子またはソファーに、または安楽椅子からマットレスに変形させる時にも別の操作が必要であるので、面倒であるという構造上の問題があった。
【００１６】
【発明が解決しようとする課題】
したがって、本発明の目的は、以上のような本発明者の先行技術における問題点に鑑みて、座式の住居空間に適するようにベッドをマットレスタイプとして、できるだけその厚さを薄くすると共に安楽椅子やソファーに変形させる時、安楽椅子としての安楽な機能及び形態美を生かすことができるだけでなく、変形操作が便利で実際に実用性のあるマットレス兼用の安楽椅子を提供することにある。
【００１７】
【課題を解決するための手段】
以上のような本発明の目的は、意外に簡単な「コロンブスの卵」のような発想の転換によって達成される。
すなわち、これまで少なくともマットレスタイプでは、前述のような変形メカニズム上の制約要因のために適用が不可能な方式と見なされてきた２段の折り畳み方式を採択すると共に、変形される安楽椅子の形態を、背もたれの長さが短くてその傾斜角度が７０゜以上、普通は８０゜程度であり、座板の高さも３０ｃｍ以上のアップライトタイプ（ｕｐｒｉｇｈｔ  ｔｙｐｅ）である通常の立式の安楽椅子ではなく、背もたれの傾斜角度や座板高が比較的低く、背もたれ面の長さが相対的に長いので、裏返された状態で頭をもたれて休息を取ることができる座式形態の安楽座椅子をなすようにすることによって本発明の目的が達成される。
【００１８】
したがって、本発明はベッドを比較的に薄い２個の単位体からなるマットレスタイプとし、肘掛けと共に３段以上、好ましくは４段に積層される傾斜した背もたれを１個の単位体から構成してこれを座板として機能する他の１個の単位体と共に座式形態の安楽座椅子またはソファーを構成することに基本的な特徴がある。
【００１９】
また本発明は以上のような座式形態に適するように、座板と背もたれ面をより安楽に構成することに付加的な特徴がある。
【００２０】
【発明の実施の形態】
以下、図面を参照しながら本発明の好ましい実施の形態、即ち、背もたれが４段に  折り畳み積層される場合について説明する。
図１は本発明の２個の単位体Ａ、Ｂがベッドとして機能するように広げられた状態を示す斜視図である。
ここで、単位体Ａは内部部材１０と、これを取り囲んでいる外郭部材２０に分割区画されており、前記外郭部材２０は背もたれ支持部２２に連なって２個の肘掛け部２１、２１が形成されている。
【００２１】
前記内部部材１０は、更に３個の背もたれ用部材に分割されており、これらの背もたれ用部材は図２の断面図に示すように、第１の背もたれ用部材１１が外郭部材の背もたれ支持部２２と傾斜角θ０、第２の背もたれ用部材１２が第３の背もたれ用部材１３と傾斜角θ１を有する傾斜面を共有する形態の断面梯形状からなっており、これらの各部材は上下の連接部位で互いに連接手段ａでジグザグに連結されいる。
ここで、θ０は６５゜以下、好ましくは４０゜〜５０゜程度の比較的に低い傾斜角をなすようにし、θ１はθ０より大きい傾斜角を有するようにすることが好ましい。
【００２２】
一方、単位体Ｂもやはり単位体Ａの両肘掛け部２１、２１の先端の上縁部に連接手段ａで連結されており、その上面の中間部位には必要時に傾斜座部材１５が凹設されて、同様に連接手段ａで単位体Ｂに連結される。
【００２３】
図２〜図４は単位体Ａ、Ｂが広げられた状態でベッドとして使用していたときに、これを折り畳んで安楽座椅子に変形させる操作の過程を示す断面図である。
まず図２に示すように単位体Ａを、連接手段ａを軸線として単位体Ｂ上に覆して重ねておく。次に、図３に示すように第３の背もたれ用部材１３を持ち上げれば連接手段ａでジグザグに連結されている第２の背もたれ用部材１２と第１の背もたれ用部材１１が外郭部材２０の背もたれ支持部２２上に順に折り畳まれながら積層されて、安楽座椅子の背もたれを形成するようになる。
【００２４】
この時、背もたれの下部面をなす背もたれ支持部２２と第１の背もたれ用部材１１の傾斜面は傾斜角が６５゜以下、好ましくは４０゜〜５０゜程度の低い傾斜角θ０になっていて、傾斜角度が顕著に大きいアップライトタイプの一般的な立式の安楽椅子とは異なり、背もたれがかなり裏返された形態をなすようになるので、背もたれに完全にもたれて休息を取ることができる座式の安楽椅子またはソファーに適した背もたれの構造をなすようになる。また、背もたれの上部面をなす第２および第３の背もたれ用部材１２、１３の傾斜面がなす傾斜角θ１は必要時にその下部面の傾斜角θ０より大きくすることによって、背もたれ面が全体的に二重に屈曲されて、より安楽な形態を取るように構成することもできる。
【００２５】
以上のように、単位体Ａの内部部材の背もたれ用部材を折り畳み積層させて背もたれを形成すれば、外郭部材２０の肘掛け部２１、２１が自動的に露出されて肘掛けが形成されるようになると共に、単位体Ｂはそのまま座板として機能するので、完壁な安楽座椅子またはソファーに変形して使用することができる。
【００２６】
しかし、このような安楽座椅子の形態においては、体重が背もたれの傾斜面に沿って椅子の前方に滑り落ちる傾向があるので、図４に示すように必要時に座板として機能する単位体Ｂに傾斜座部材１５を凹設してこの部位だけをより軟質材で作ったり、または連接手段ａを軸で回動自在に折り畳むことによって、前から後方に傾斜した座板形態をなすようになり、これによって体重が前方に滑り落ちることを防ぐので、安定性が向上し、より優れた安楽感を与えることができる。特に、この場合には凹設された深さだけ背もたれ面の長さが長くなるので、同じ背もたれの長さを有する条件下ではマットレスの厚さを１ｃｍ以上薄くすることができる等の構造上の利点もある。
【００２７】
また、本発明では各部材を連結する連接手段ａは部材の材質によって通常的な蝶番のようなヒンジ手段を使うことができるが、布設した外皮を熔接したり縫合することがより一層好ましい。更に積層された第１の背もたれ用部材と第２の背もたれ用部材との間には、体重に押されて容易に広げられないようにベルクロファスナやジッパー等の手段を取付けることもできる。
【００２８】
【発明の効果】
以上のように、本発明はマットレスタイプのベッドを、肘掛けが具備されている安楽椅子またはソファーに変形する時、背もたれを３段以上の多段に積層させて形成すると共に、縦芯の長さが長い１個の単位体で座板を形成する座式形態の構造を有するので、従来の折り畳み方式で最も大きい問題であった設計上の制限要因になっていた座板高や肘掛けの厚さに制約を受けない構造をなすことができ、結局マットレスの厚さを顕著に薄くすることができるようになる。
【００２９】
すなわち、従来のアップライトタイプの立式の安楽椅子に変形する場合には、前述のように座板高が少なくとも３０ｃｍ以上でなければならなくて肘掛けの高さも１８ｃｍ以上でなければならないので、３段の折り畳み方式はマットレスの厚さが肘掛けの水準である１８ｃｍ以上、２段の折り畳み方式の場合には座板高を満たすために少なくとも３０ｃｍ以上でなければならないが、本発明のように座板として機能する単位体の縦芯の長さが長い座式形態では座板高が高い必要がないだけでなく、肘掛けの高さも相対的に低い背もたれの傾斜角度に伴って共に低くなるので、相対的に顕著に低い座板高と肘掛けの高さを得ることができてマットレスの単位厚さを、少なくとも３段の折り畳み方式の水準である１８ｃｍ以下、更には１０ｃｍ余りまで顕著に薄くすることができる効果がある。また、安楽椅子としては多少縦芯の長さが長いと考えられる２段に折り畳まれた状態の長さ（約９５ｃｍ程度）も背もたれ面の長さを確保することができるという点で、かえって有用に活用できる利点がある。
【００３０】
結局、本発明は今までのベッドを安楽椅子に折り畳み変形する方式において、設計上の最大の制約要因として作用していたベッドの厚さを最小化して、厚さが薄いマットレスタイプの製品を実現できるので、製品の実用性及び経済性を高めることができるだけでなく、折り畳み時に占有する室内の空間体積が小さくてオンドルや畳部屋のように比較的に狭い住居空間に負担がない座式形態の製品を提供することができる。
【００３１】
更に、本発明は座式形態の安楽椅子に適するように、二重に屈曲される背もたれ及び傾斜した座板が構成されるので、座式の安楽椅子としてより安定性と共に安楽感を感じられるだけでなく、２段の折り畳み方式を採択することによって、３段の折り畳み式でのように操作変形する度にマットレスの全体を覆さなければならない面倒さもなくて、便利に変形して使用することができる付随的な効果もある。
【図面の簡単な説明】
【図１】本発明に係るマットレス兼用安楽座椅子がベッドとして機能するように２個の単位体が広げられた状態を示す斜視図である。
【図２】本発明に係る安楽座椅子に変形させる操作の過程における、２個の単位体を折り畳む過程を示す断面図である。
【図３】本発明に係る安楽座椅子に変形させる操作の過程における、単位体Ａで３個の背もたれ用部材を持ち上げて背もたれを形成する過程を示す断面図である。
【図４】本発明に係る安楽座椅子に変形させる操作の過程における、単位体Ｂで傾斜座部材を回動させて傾斜した座板面を形成する過程を示す断面図である。
【図５】本発明によってマットレスに変形された安楽座椅子の斜視図である。
【符号の説明】
１０  内部部材
１１  第１の背もたれ用部材
１２  第２の背もたれ用部材
１３  第３の背もたれ用部材
１５  傾斜座部材
２０  外郭部材
２１  肘掛け部
２２  背もたれ
【図１】
0003587810.tif 000002
【図２】
0003587810.tif 000003
【図３】
0003587810.tif 000004
【図４】
0003587810.tif 000005
【図５】
0003587810.tif 000006